(57)【要約】      （修正有）【課題】仰角調整と俯角調整がそれぞれ好適な使用感で円滑に操作できる。【解決手段】回転軸ユニット４によって本体ケース部を回転自在に支持する電気ストーブであって、回転軸ユニット４は、支持部に固定される角度調整板支え６と、仰角俯角用軸８１を中心に仰角方向および俯角方向に回動自在に角度調整板支え６に取り付けられると共に、回転軸取付板５１を回転自在に取り付けた角度調整板８と、を備え、角度調整板８は、回転軸５が貫通する回転軸用孔８２ａが形成された正面部８２と、正面部８２から折曲する角度調整部８３を有する側面部と、を有し、角度調整部８３に形成された仰角調整用孔８３ａ（８３ａ１〜８３ａ４）および俯角調整用孔９ａと、仰角調整用孔８４ａに角度調整部８３の内側から付勢する仰角用係合体付勢手段８０と、俯角調整用孔９ａに角度調整部８３の外側から付勢する俯角用係合体付勢手段９と、を備えた。【選択図】図３
2016011756.tif 000002
【特許請求の範囲】
【請求項１】
ヒータを備えた本体ケース部と支持部とを有し、前記本体ケース部と支持部とを回転軸ユニットにて接続し、該回転軸ユニットにより本体ケース部を回転自在に支持する電気ストーブであって、
前記回転軸ユニットは、回転軸を有し前記本体ケース部の背面略中心に取り付ける回転軸取付板と、
前記支持部に固定される角度調整板支えと、
仰角俯角用軸を中心に仰角方向および俯角方向に回動自在に前記角度調整板支えに取り付けられると共に、前記回転軸取付板を回転自在に取り付けた角度調整板と、を備え、
前記角度調整板は、前記回転軸が貫通する回転軸用孔が形成された正面部と、この正面部から折曲する角度調整部を有する側面部と、を有し、
前記角度調整部に形成された仰角調整用孔および俯角調整用孔と、
前記仰角調整用孔に前記角度調整部の内側から付勢する仰角用係合体付勢手段と、
前記俯角調整用孔に前記角度調整部の外側から付勢する俯角用係合体付勢手段と、
を備えたことを特徴とする電気ストーブ。
【請求項２】
前記俯角用係合体付勢手段は、前記俯角調整用孔に前記角度調整部の外側から係合される球状体と、
前記球状体を前記角度調整部の外側から前記俯角調整用孔に付勢する付勢手段と、
を備えたことを特徴とする請求項１に記載の電気ストーブ。
【請求項３】
前記角度調整板支えは、前記支持部から上方に伸びるように対面して配設された一対の角度調整板支持部と、この一対の角度調整板支持部に連続する背面部と、を有する平面視でコの字形状からなり、
前記角度調整板は、前記角度調整部が前記角度調整板支持部の内側に近接するように前記角度調整板支えに支持され、
前記付勢手段は、前記角度調整板支持部に形成され前記球状体が外側から内側にはみ出すように嵌入された状態で支持する球状体支持孔と、
この球状体支持孔に支持された前記球状体を前記俯角調整用孔に付勢する板ばねと、
を備えたことを特徴とする請求項２に記載の電気ストーブ。
【請求項４】
前記俯角調整用孔は、前記仰角俯角用軸から前記仰角調整用孔までの距離とは異なる位置に配設されていることを特徴とする請求項１から請求項３のいずれか１項に記載の電気ストーブ。
【発明の詳細な説明】
【技術分野】
【０００１】
本発明は、電気ストーブに係り、特に、ヒータを仰角方向および俯角方向に回動自在に支持する電気ストーブに関する。
【背景技術】
【０００２】
従来、ヒータを備えた本体ケース部を正面に向けた垂直な状態から仰角方向に調整可能な電気ストーブが知られている（例えば、特許文献１）。
特許文献１に記載された電気ストーブは、角度調整板に形成された複数のボール用孔に対してボール保持部に出没自在に収納されたボールを係合させて４段階に仰角を調整できるように構成されている。
【先行技術文献】
【特許文献】
【０００３】
【特許文献１】特許第５１９２３３３号公報（段落００２０、００２１、００２７、図３、図５、図６参照）
【発明の概要】
【発明が解決しようとする課題】
【０００４】
しかしながら、特許文献１に記載された電気ストーブにおいて、仰角調整用のボール用孔の隣に俯角調整用のボール用孔を形成して、仰角調整に加えてさらに俯角調整も可能にしようとすると、仰角調整用のボール用孔と俯角調整用のボール用孔とが重なってしまうため、小さな角度の俯角調整ができないという問題があった。
【０００５】
また、角度調整板の回動中心から径方向外側にずらして俯角調整用のボール用孔を配置すると、回動半径の相違から回動トルクが大きくなるため、仰角調整と俯角調整で使用感（操作感）が変わり使用者が違和感を覚えるという問題があった。
また、回動トルクが大きくなりすぎると回動させたときに支持部（本体ベース）が浮きやすくなって回動させにくいという問題があった。
【０００６】
本発明は、このような背景に鑑みてなされたものであり、仰角調整と俯角調整をそれぞれ好適な使用感で円滑に操作することができる電気ストーブを提供することを課題とする。
【課題を解決するための手段】
【０００７】
前記課題を解決するため、請求項１に係る発明は、ヒータを備えた本体ケース部と支持部とからなり、前記本体ケース部と支持部とを回転軸ユニットにて接続し、該回転軸ユニットにより本体ケース部を回転自在に支持する電気ストーブであって、前記回転軸ユニットは、回転軸を有し前記本体ケース部の背面略中心に取り付ける回転軸取付板と、前記支持部に固定される角度調整板支えと、仰角俯角用軸を中心に仰角方向および俯角方向に回動自在に前記角度調整板支えに取り付けられると共に、前記回転軸取付板を回転自在に取り付けた角度調整板と、を備え、前記角度調整板は、前記回転軸が貫通する回転軸用孔が形成された正面部と、この正面部から折曲する角度調整部を有する側面部と、を有し、前記角度調整部に形成された仰角調整用孔および俯角調整用孔と、前記仰角調整用孔に前記角度調整部の内側から付勢する仰角用係合体付勢手段と、前記俯角調整用孔に前記角度調整部の外側から付勢する俯角用係合体付勢手段と、を備えたことを特徴とする。
【０００８】
本発明に係る電気ストーブは、角度調整部に仰角調整用孔および俯角調整用孔を形成し、仰角調整用孔の内側から付勢する仰角用係合体付勢手段と、俯角調整用孔の外側から付勢する俯角用係合体付勢手段と、を別個に備えたことで、仰角用係合体付勢手段よりも俯角用係合付勢手段の取り付け位置を前方にずらして配置することができるため、俯角調整用孔が仰角調整用孔に重ならないように設けることができる。
【０００９】
また、仰角用係合体付勢手段と俯角用係合体付勢手段とを別個に構成することで、俯角調整用孔の位置（回動半径）に合わせて俯角用係合体付勢手段の付勢力を好適に設定し、仰角調整用孔の位置（回動半径）に合わせて仰角用係合体付勢手段の付勢力を好適に設定することができるので、仰角調整および俯角調整の操作感をそれぞれ好適に設定して、使用者の違和感を排除して使用感（操作感）を向上させることができる。
【００１０】
請求項２に係る発明は、請求項１に記載の電気ストーブであって、前記俯角用係合体付勢手段は、前記俯角調整用孔に前記角度調整部の外側から係合される球状体と、前記球状体を前記角度調整部の外側から前記俯角調整用孔に付勢する付勢手段と、を備えたことを特徴とする。
【００１１】
本発明に係る電気ストーブは、俯角用係合体付勢手段を球状体と付勢手段を備えて構成することで、外側に配設される俯角用係合体付勢手段を簡易な構成とすることができるため、シンプルなデザインを実現してかつコンパクト化を図ることができる。
【００１２】
請求項３に係る発明は、請求項２に記載の電気ストーブであって、前記角度調整板支えは、前記支持部から上方に伸びるように対面して配設された一対の角度調整板支持部と、この一対の角度調整板支持部に連続する背面部と、を有する平面視でコの字形状からなり、前記角度調整板は、前記角度調整部が前記角度調整板支持部の内側に近接するように前記角度調整板支えに支持され、前記付勢手段は、前記角度調整板支持部に形成され前記球状体が外側から内側にはみ出すように嵌入された状態で支持する球状体支持孔と、この球状体支持孔に支持された前記球状体を前記俯角調整用孔に付勢する板ばねと、を備えたことを特徴とする。
【００１３】
本発明に係る電気ストーブは、付勢手段を板ばねで構成したことで、例えばボールプランジャ等のコイルスプリングを使用した場合よりもコンパクトに構成することができるため、本体ケース部の首振り動作において不用意な干渉を効果的に抑制することができる。
【００１４】
また、例えば板ばねを角度調整板支持部に固定することで、角度調整板支持部の剛性を向上させることができる。つまり、仰角調整用のボール用孔と俯角調整用のボール用孔とが重ならないように俯角調整用のボール穴を仰角調整用のボール用孔よりも径方向外側に配置すると角度調整板が大きくなる。
【００１５】
このため、角度調整板を回動自在に支持する角度調整板支えに形成された長穴（逃し穴）をさらに下方に長く伸ばすことになるので角度調整板支えの脚部としての強度（本体ケース部を支持部に連結する役割）がその分低下するという問題があるが、板ばねを角度調整板支持部に固定することで、角度調整板支えの剛性を向上させることができるため、好適である。
【００１６】
請求項４に係る発明は、請求項１から請求項３のいずれか１項に記載の電気ストーブであって、前記俯角調整用孔は、前記仰角俯角用軸から前記仰角調整用孔までの距離とは異なる位置に配設されていることを特徴とする。
【００１７】
本発明に係る電気ストーブは、前記仰角俯角用軸から前記仰角調整用孔までの距離とは異なる位置に前記俯角調整用孔を配設したことで、俯角調整用孔と仰角調整用孔の干渉をより確実に防止することができるため、小さな角度の俯角調整を容易に行うことができる。
【発明の効果】
【００１８】
本発明に係る電気ストーブは、仰角調整と俯角調整をそれぞれ好適な使用感で円滑に操作することができる。
【図面の簡単な説明】
【００１９】
【図１】本発明の実施形態に係る電気ストーブの外観を示す斜視図である。
【図２】本発明の実施形態に係る回転軸ユニットの取り付け状態を説明するための図１の側面図である。
【図３】本発明の実施形態に係る回転軸ユニットの構成を示す分解斜視図である。
【図４】本発明の実施形態に係る回転軸ユニットを背面から見た斜視図である。
【図５】本発明の実施形態に係る回転軸ユニットにおける俯角位置の状態を示し、（ａ）は平面図、（ｂ）は側面図である。
【図６】本発明の実施形態に係る回転軸ユニットの動作を説明するための断面図であり、（ａ）は仰角位置における図７（ｂ）のＢ−Ｂ線断面図、（ｂ）は俯角位置における図５（ｂ）のＡ−Ａ線断面図、（ｃ）は俯角位置ではない状態を示す図７（ｃ）のＣ−Ｃ線断面図である。
【図７】本発明の実施形態に係る回転軸ユニットの動作を説明するための側面図であり、（ａ）は俯角位置、（ｂ）〜（ｅ）は仰角位置を示す。
【発明を実施するための形態】
【００２０】
本発明の実施形態に係る電気ストーブ１の構成について適宜図１から図７を参照しながら詳細に説明する。
電気ストーブ１は、図１と図２に示すように、２本のヒータ２１を備えた本体ケース部２と、本体ケース部２を支持する支持部３と、支持部３の上部に固定され本体ケース部２と支持部３とを連結する回転軸ユニット４（図２参照）と、を備えている。
【００２１】
回転軸ユニット４は、図３に示すように、本体ケース部２が縦横回転する時の回転軸５が取付けられた回転軸取付板５１と、支持部３に固定される角度調整板支え６と、仰角俯角用軸８１を中心にして仰角方向および俯角方向に回動可能に角度調整板支え６に軸支された角度調整板８と、を備えている。
【００２２】
回転軸５は、その先端部分外周がねじ切り加工されており、角度調整板８の回転軸用孔８２ａを貫通させた状態でその先端部分に角度調整板８を回転軸取付板５１に押し付けるための回転軸取付板押付ばね５２を嵌め込み、更にワッシャー５３，５４を嵌め込み、そして回転軸５の先端外周のねじ切り部分に回転軸取付板用ナット５５を係合させて、回転軸取付板５１を回転自在に角度調整板８に取り付けている。
【００２３】
角度調整板８は、断面コの字形状をなし、回転軸５が貫通する回転軸用孔８２ａが形成された正面部８２と、正面部８２の一端側から軸方向に延びる側面部である扇状をなした角度調整部８３と、正面部８２の他端側から軸方向に延びる扇状をなした角度調整部８４と、を備えている。
角度調整部８３には、仰角調整用孔８３ａと俯角調整用孔９ａが形成されている。角度調整部８４には、仰角調整用孔８４ａが形成されている。
なお、角度調整部８３には、電線固定手段（不図示）が装着されるが詳細な説明は省略する。
【００２４】
角度調整板支え６は、断面コの字状で回転軸５が貫通する回転軸用孔部６１が形成され、仰角俯角用軸８１によって角度調整板８を角度調整自在に支持する。
角度調整板支え６は、回転軸用孔部６１が形成された背面部６２の両端が略直角に折り曲げられて角度調整板支持部６３が形成されることにより断面コの字状となっており、背面部６２と角度調整板支持部６３との折り曲げ部分に角度調整板８の角度調整部８３が貫通する角度調整部貫通孔６４が形成されている。角度調整板支持部６３の上部には、仰角俯角用軸８１を受ける軸支部６３ａが形成されている。
【００２５】
〈仰角調整の構成〉
角度調整板８の角度調整部８３には、角度調整板８の仰角がいくつかの角度で保持されるための仰角調整用孔８３ａ（８３ａ１，８３ａ２，８３ａ３，８３ａ４）が、仰角俯角用軸８１から回動半径Ｒ１（図５（ｂ）参照）の距離に複数形成されている。
【００２６】
仰角用係合体付勢手段８０は、仰角調整用孔８３ａに角度調整部８３の内側から仰角調整用係合体を付勢する手段であり、仰角調整用係合体であるボール８５ｂと、ボール８５ｂをばね８５ａで付勢して保持するボール保持部８５と、を備えている。
仰角調整用孔８３ａ（８３ａ１，８３ａ２，８３ａ３，８３ａ４）には、ボール保持部８５に収納されたボール８５ｂが角度調整部８３の内側からばね８５ａで付勢されている。
ボール保持部８５は、ボール保持部取付ねじ８５ｃ，８５ｃによって、上部と下部の２か所で角度調整板支え６の角度調整板支持部６３に取り付けられている（図６（ａ）参照）。
【００２７】
具体的には、角度調整板８は、角度調整部８３を角度調整板支え６の角度調整部貫通孔６４に貫通させた状態で角度調整板支え６に回動自在に支持されている。そして、角度調整板支持部６３の内側には、ボール８５ｂが仰角調整用孔８３ａ（８３ａ１，８３ａ２，８３ａ３，８３ａ４）にはまるように位置させた状態でボール保持部８５が角度調整板支え６に固定されている。
【００２８】
ボール保持部８５は、上部のボール保持部取付ねじ８５ｃが角度調整板支持部６３の上部ねじ挿入孔６３ｂから挿入され、中空状のスペーサー８５ｅを介してボール保持部用孔８５ｄを貫通して、ボール保持部８５のねじ切り溝８５ｆに係合されている。下部のボール保持部取付ねじ８５ｃは、角度調整板支持部６３の下部ねじ挿入孔６３ｃから挿入され中空状のスペーサー８５ｅを介して直接ボール保持部８５のねじ切り溝８５ｆに係合されている。
【００２９】
角度調整部８４と、角度調整部８４に配設されたボール保持部８６は、それぞれ仰角の調整において角度調整部８３と、角度調整部８３に配設されたボール保持部８５と同様に対をなした構成であるので同様の符号を付して詳細な説明は省略する。
【００３０】
仰角俯角用軸８１は、一端が鍔状に形成されており、他端の先端を角度調整板支え６に形成された一方の軸支部６３ａから角度調整部８４に形成された仰角俯角用軸用孔８４ｃを貫通し、更に角度調整部８３に形成された仰角俯角用軸用孔８３ｃを通って他方の軸支部６３ａにその先端が突出し、その突出した先端に軸用プッシュナット８１ａを取り付けることにより組み込まれるものである。
【００３１】
仰角の調整は、角度調整部８３に形成された仰角調整用孔８３ａ（８３ａ１，８３ａ２，８３ａ３，８３ａ４）にボール用ばね８５ａによって付勢されているボール８５ｂがそれぞれはまり込むことで仰角位置を設定できるようになっている。仰角調整用孔８３ａ（８３ａ１，８３ａ２，８３ａ３，８３ａ４）にボール８５ｂが係合された状態を回転軸ユニット４における仰角位置という。
【００３２】
仰角位置は、適宜設定されるが例えば、本体ケース部２（図２参照）に作用する自重を考慮して、仰角調整用孔８３ａ１は、本体ケース部２（図２参照）がほぼ正面を向くように設定された第１の仰角位置（図７（ｂ）参照）である。仰角調整用孔８３ａ２は第２の仰角位置（図７（ｃ）参照）、仰角調整用孔８３ａ３は第３の仰角位置（図７（ｄ）参照）、仰角調整用孔８３ａ４は第４の仰角位置（図７（ｅ）参照）である。
【００３３】
なお、図７（ｂ）〜（ｅ）は、球状体８５ｂがそれぞれ仰角調整用孔８３ａ１，８３ａ２，８３ａ３，８３ａ４に係合された回転軸ユニット４の仰角位置を示すが、本体ケース部２（図２参照）が支持部３に支持された使用状態では、本体ケース部２の自重によって本体ケース部２の仰角は、回転軸ユニット４の仰角位置よりも約４度下方（俯角方向）を向くように設定されている。
【００３４】
〈俯角調整の構成〉
俯角を調整する俯角用係合体付勢手段９は、角度調整部８３に形成された俯角調整用孔９ａと、俯角調整用孔９ａに角度調整部８３の外側から係合される球状体９１と、球状体９１を角度調整部８３の外側から俯角調整用孔９ａに付勢する板ばね９２と、を備えている。
【００３５】
俯角調整用孔９ａは、仰角俯角用軸８１から仰角調整用孔８３ａの回動半径Ｒ１よりも大きい回動半径Ｒ２の距離に配設されている。
板ばね９２は、ボール保持部８５を固定する上部のボール保持部取付ねじ８５ｃが貫通する抜け孔９２ａと、球状体９１を支持する押さえ孔９２ｂと、固定用ねじ９３の挿通孔９２ｃと、を備えている。
角度調整板支え６の角度調整板支持部６３には、球状体９１を支持する球状体支持孔６３ｄが形成されている。
【００３６】
かかる構成により、図６（ｂ）に示すように、球状体９１は、球状体支持孔６３ｄに支持された状態で角度調整板支持部６３の外側から板ばね９２によって内側方向に付勢されている。球状体９１の内側は角度調整部８３に形成された俯角調整用孔９ａに係合されることで、回転軸ユニット４における俯角位置が設定されるようになっている（図７（ａ）参照）。
なお、本実施形態においては、板ばね９２に球状体９１を支持する押さえ孔９２ｂを設けたが、これに限定されるものではなく、板ばねの製作性や剛性を考慮して押さえ孔９２ｂを設けなくてもよい。
【００３７】
回転軸ユニット４における俯角位置は、俯角調整用孔９ａに球状体９１が係合された状態をいう。
なお、図７（ａ）は、球状体９１が俯角調整用孔９ａに係合された回転軸ユニット４の俯角位置を示すが、本体ケース部２が支持部３に支持された使用状態では、本体ケース部２の自重によって本体ケース部２の俯角は４度ぐらいまで増大されるようになっている。
【００３８】
一方、図６（ｃ）に示すように、球状体９１が俯角調整用孔９ａに係合されていない状態では、球状体９１の内側が角度調整部８３の外側側面に当接したままで、球状体９１は、球状体支持孔６３ｄに支持された状態で角度調整板支持部６３の外側から板ばね９２によって内側方向に付勢されている。
【００３９】
以上のように構成された本発明の実施形態に係る電気ストーブ１は、以下のような作用効果を奏する。
すなわち、図７（ａ）に示す回転軸ユニット４における俯角位置から、図７（ｂ）〜（ｅ）に示す仰角位置まで適宜自在に俯角および仰角を調整することができる。
【００４０】
本発明の実施形態に係る電気ストーブ１は、角度調整部８３に仰角調整用孔８３ａおよび俯角調整用孔９ａを形成し、仰角調整用孔８ａの内側から付勢する仰角用係合体付勢手段８０と、俯角調整用孔９ａの外側から付勢する俯角用係合体付勢手段９と、を別個に備えたことで、仰角用係合体付勢手段８０よりも俯角用係合体付勢手段９の取り付け位置を前方にずらし、かつ俯角調整用孔９ａを仰角調整用孔８３ａの回動半径Ｒ１よりも大きい回動半径Ｒ２で配置したので、確実に俯角調整用孔９ａが仰角調整用孔８３ａに重ならないように設けることができる。
【００４１】
また、仰角用係合体付勢手段８０と俯角用係合体付勢手段９とを別個に構成することで、俯角調整用孔９ａの位置（回動半径Ｒ２）に合わせて俯角用係合体付勢手段９の付勢力を好適に設定し、仰角調整用孔８３ａの位置（回動半径Ｒ１）に合わせて仰角用係合体付勢手段８０の付勢力を好適に設定することができるので、仰角調整および俯角調整の操作感をそれぞれ好適に設定して、使用者の違和感を排除して使用感（操作感）を向上させることができる。
【００４２】
以上、本発明の実施形態について説明したが、本発明は、前記した実施形態に限定されず、適宜変形して実施することが可能である。例えば、本実施形態においては、角度調整部８３に俯角調整用孔９ａを形成して俯角を調整する俯角用係合体付勢手段９を構成したが、さらに対となるように角度調整部８４にも同様に俯角用係合体付勢手段９を構成してもよい。
【符号の説明】
【００４３】
１      電気ストーブ
２      本体ケース部
３      支持部
４      回転軸ユニット
５      回転軸
８      角度調整板
９      俯角用係合体付勢手段
９ａ    俯角調整用孔
２１    ヒータ
５１    回転軸取付板
６２    背面部
６３    角度調整板支持部
６３ｄ  球状体支持孔
６４    角度調整部貫通孔
８０    仰角用係合体付勢手段
８１    仰角俯角用軸
８３ａ１  仰角調整用孔
８３ａ２  仰角調整用孔
８３ａ３  仰角調整用孔
８３ａ４  仰角調整用孔
８３    角度調整部
８３ａ  仰角調整用孔
８４    角度調整部
８４ａ  仰角調整用孔
８５    ボール保持部
８５ｂ  ボール
８５ｄ  ボール保持部用孔
８６    ボール保持部
９１    球状体
Ｒ１    回動半径
Ｒ２    回動半径
【図１】
2016011756.tif 000003
【図２】
2016011756.tif 000004
【図３】
2016011756.tif 000005
【図４】
2016011756.tif 000006
【図５】
2016011756.tif 000007
【図６】
2016011756.tif 000008
【図７】
2016011756.tif 000009